(57)【要約】【課題】光ディスクコンテンツが指定するＵＲＬのリソースをアクセス制限することができる光ディスク再生装置及び光ディスク再生方法を提供する。【解決手段】光ディスクに照射したレーザ光の反射光に基づく読取情報を出力する読取部と、読取部からの読取情報からＵＲＬ情報を抽出する抽出部と、ネットワークを介して外部装置と通信を行なう通信部と、抽出部がＵＲＬ情報を検出すると、アクセス制限リストのＵＲＬ情報と比較して、同一のものがなければＵＲＬ情報に応じて通信部を介してリソースをダウンロードし、同一のものがあればアクセスを中止する制御部をもつ光ディスク再生装置。【選択図】      図１
2008084489.tif 000002
【特許請求の範囲】
【請求項１】
光ディスクに照射したレーザ光の反射光に基づく読取情報を出力する読取部と、
前記読取部からの読取情報からＵＲＬ情報を抽出する抽出部と、
ネットワークを介して外部装置と通信を行なう通信部と、
前記抽出部が前記ＵＲＬ情報を検出すると、アクセス制限リストのＵＲＬ情報と比較して、同一のものがなければ前記ＵＲＬ情報に応じて前記通信部を介してリソースをダウンロードし、同一のものがあればアクセスを中止する制御部と、を具備することを特徴とする光ディスク再生装置。
【請求項２】
前記制御部は、指示信号に応じて、前記通信部がアクセス中の前記ＵＲＬ情報を前記アクセス制限リストに登録することを特徴とする請求項１記載の光ディスク再生装置。
【請求項３】
前記制御部は、リモコンの登録ボタンを押下することで、前記通信部がアクセス中の前記ＵＲＬ情報を前記アクセス制限リストに登録することを特徴とする請求項１記載の光ディスク再生装置。
【請求項４】
前記ＵＲＬ情報が前記アクセス制限リストに存在するためアクセスを中止する際に、アクセス制限によりダウンロードできない旨の表示信号との合成信号を出力するＯＳＤ部を更に有することを特徴とする請求項１記載の光ディスク再生装置。
【請求項５】
前記制御部は、前記ＵＲＬ情報が前記アクセス制限リストに存在する際に、入力されたパスワードと登録されているパスワードとが一致すると、前記ＵＲＬ情報に応じたダウンロードを開始することを特徴とする請求項１記載の光ディスク再生装置。
【請求項６】
光ディスク再生装置の再生方法であって、
前記光ディスクに照射したレーザ光の反射光に基づく読取情報を出力し、
前記読取情報からＵＲＬ情報を抽出を試み、
前記ＵＲＬ情報の抽出が可能だった場合、アクセス制限リストのＵＲＬ情報と比較して、同一のものがなければ前記ＵＲＬ情報に応じて通信部を介してネットワークからリソースをダウンロードし、同一のものがあればアクセスを中止することを特徴とする光ディスク再生方法。
【請求項７】
指示信号に応じて、前記通信部がアクセス中の前記ＵＲＬ情報を前記アクセス制限リストに登録することを特徴とする請求項６記載の光ディスク再生方法。
【請求項８】
リモコンの登録ボタンを押下することで、前記通信部がアクセス中の前記ＵＲＬ情報を前記アクセス制限リストに登録することを特徴とする請求項６記載の光ディスク再生方法。
【請求項９】
前記ＵＲＬ情報が前記アクセス制限リストに存在するためアクセスを中止する際に、アクセス制限によりダウンロードできない旨の表示信号を出力することを特徴とする請求項６記載の光ディスク再生方法。
【請求項１０】
前記ＵＲＬ情報が前記アクセス制限リストに存在する際に、入力されたパスワードと登録されているパスワードとが一致すると、前記ＵＲＬ情報に応じたダウンロードを開始することを特徴とする請求項６記載の光ディスク再生方法。
【発明の詳細な説明】
【技術分野】
【０００１】
この発明は、光ディスクが格納するＵＲＬ（Uniform Resource Locator）を用いて外部装置から情報をダウンロードする光ディスク再生装置及び光ディスク再生方法に関する。
【背景技術】
【０００２】
最近、光ディスクが開発され普及してきており、光ディスク再生装置も多様な機能が考案されてきている。その一つに光ディスクの格納情報に含まれるＵＲＬ情報に応じてネットワーク上のサイト等にアクセスして情報をダウンロードする機能が知られている。しかし、ユーザによっては、特定のサイト（例えば、暴力表現を含むサイトや大人向けサイトなど）にはアクセスしたくないという要望がある。
【０００３】
特許文献１は、ユーザのＩＤ情報に応じて、記録再生装置の通信手段によって接続可能なＷｅｂサイトへのアクセス制限を設けることを開示している。すなわち、アクセス制限するＷｅｂサイトをＩＤ情報毎に予め登録しておく。そして、記録再生装置は、ユーザからＩＤ情報が入力され、Ｗｅｂサイトのアドレスが入力されると、そのＷｅｂサイトが、制限管理テーブルに登録されているかどうか判定し、その結果、制限管理テーブルに登録されている場合、上記ユーザに対して当該Ｗｅｂサイトへのアクセス制限を行うものである。
【特許文献１】特開２００５−３１６７０９公報。
【発明の開示】
【発明が解決しようとする課題】
【０００４】
しかし、特許文献１の従来技術は、ＵＲＬ情報は独立して与えられるものであるため、
光ディスクのコンテンツからＵＲＬ情報が与えられる場合に、どのようにアクセス制限を行なうかが判らないという問題がある。
【０００５】
本発明は、光ディスクコンテンツが指定するＵＲＬのリソースをアクセス制限することができる光ディスク再生装置及び光ディスク再生方法を提供することを目的とする。
【課題を解決するための手段】
【０００６】
本発明に係る課題を解決するための手段は、
光ディスクに照射したレーザ光の反射光に基づく読取情報を出力する読取部（１９）と、
前記読取部からの読取情報からＵＲＬ情報を抽出する抽出部（３４）と、
ネットワークを介して外部装置と通信を行なう通信部（１１）と、
前記抽出部が前記ＵＲＬ情報を検出すると、アクセス制限リスト（３５）のＵＲＬ情報と比較して、同一のものがなければ前記ＵＲＬ情報に応じて前記通信部を介してリソースをダウンロードし、同一のものがあればアクセスを中止する制御部（３０，３４）と、を具備することを特徴とする光ディスク再生装置である。
【発明の効果】
【０００７】
光ディスクコンテンツが指定するＵＲＬのリソースを、ユーザが任意にアクセス制限することができる光ディスク再生装置及び光ディスク再生方法を提供する。
【発明を実施するための最良の形態】
【０００８】
以下、この発明の実施の形態について図面を参照して詳細に説明する。
【０００９】
＜本発明の一実施形態に係る光ディスク再生装置＞
（構成）
ここでは、本発明の一実施形態に係る光ディスク再生装置を、一例としてハードディスクレコーダ機能をもった光ディスク記録再生装置を用いて説明するが、光ディスク再生装置は様々な形態が含まれるものであり、それらは全て本発明の実施形態の範囲に含まれるものである。
【００１０】
図１は、本発明の一実施形態に係る光ディスク再生装置の構成の一例を示すブロック図である。図１の光ディスク再生装置１０は、２種類のディスクドライブ部を有する。まず、ビデオファイルを構築できる情報記録媒体である第１のメディアとしての光ディスクＤ、すなわち、ＨＤ_ＤＶＤ（High Definition Digital Versatile Disc）又は通常のＤＶＤ（Digital Versatile Disc）等を回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１１】
又、図１の光ディスク再生装置１０は、録画側を構成するエンコーダ部２１と、再生側を構成するＭＰＥＧデコーダ部２３と、装置本体の動作を制御する制御部３０とを主たる構成要素としている。光ディスク再生装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、光ディスク再生装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、光ディスク再生装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、アクセス制限部３４、アクセス制限リストＤＢ部３５、ＯＳＤ（On Screen Display）部３６、予約録画部・番組表生成部４３を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１２】
更に、光ディスク再生装置１０は、データバスを介して制御部３０に接続され、ユーザの操作やリモコンＲの操作を受ける操作部３２を有している。ここで、リモコンは、光ディスク再生装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１３】
（基本動作）
このような構成の光ディスク再生装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１４】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１５】
又、チューナ部１２，１３、予約録画部４２、番組表生成部４３を用いることで、電子番組表を利用して、放送信号をハードディスクドライブ部１８，光ディスクＤ等に予約録画しこれを再生することができる。
【００１６】
＜ＵＲＬに応じたアクセス制限処理＞
次に、上記した光ディスク再生装置のＵＲＬに応じたアクセス制限処理をフローチャートを用いて詳細に説明する。図２は、本発明の一実施形態に係るディスク再生装置が読み出すディスク中に格納されているＵＲＬ情報の一例を示す説明図である。図３は、本発明の一実施形態に係るディスク再生装置のリモコンによるアクセス制限ボタンの一例を示す説明図である。図４は、本発明の一実施形態に係るディスク再生装置のアクセス制限テーブルの一例を示す説明図である。図５は、本発明の一実施形態に係るディスク再生装置の視聴制限リストアクセスログイン画面の一例を示す説明図である。図６は、本発明の一実施形態に係るディスク再生装置のアクセス制限を知らせる画面の一例を示す説明図である。
【００１７】
更に、図７は、本発明の一実施形態に係るディスク再生装置におけるアクセス制限をうけるＵＲＬの登録処理の一例を示すフローチャートである。図８は、本発明の一実施形態に係るディスク再生装置におけるアクセス制限処理の一例を示すフローチャートである。
【００１８】
なお、図７及び図８のフローチャートの各ステップは、回路ブロックに置き換えることができ、従って、各フローチャートのステップは、全てブロックに定義しなおすことが可能である。
【００１９】
（アクセス制限リストの登録処理：図７）
初めに、本発明の一実施形態に係るディスク再生装置におけるアクセス制限リストの登録処理を図７のフローチャートを用いて詳細に説明する。
【００２０】
その前に、本発明の一実施形態に係るディスク再生装置による、光ディスクコンテンツのＵＲＬに基づくダウンロード処理について説明する。
【００２１】
光ディスクドライブ部１９に光ディスク、すなわち、ＨＤ_ＤＶＤ（High Definition Digital Versatile Disc）又は通常のＤＶＤ（Digital Versatile Disc）等が挿入されると、図示しない光ピックアップから照射されたレーザ光の光ディスクからの反射光を光ピックアップのデテクタは読み取り、読み取り信号を出力する。ネットワークダウンロード部３４は、この読み取り信号を解析して、図２に示すようにＵＲＬ（Uniform Resource Locator）情報の有無に基づいて、ディスク内にネットワークからダウンロード再生する機能が含まれているかどうかを判断する。
【００２２】
ここで、判断する具体的な方法は、光ディスク内にあるネットワークアクセスするか否かの識別フラグをみて判別する方法、光ディスク内に含まれるアプリケーションを解析して判別する方法がある。
【００２３】
制御部３０及びネットワークダウンロード部３４が、その光ディスクがダウンロードするコンテンツを含むと判断すると、通信部１１により、ＵＲＬ情報が示すネットワーク上のサイトにアクセスしてコンテンツをダウンロードし、ダウンロードしたコンテンツのデコード処理を行なう。
【００２４】
このような光ディスクコンテンツのＵＲＬに応じたダウンロードを行なう場合、ユーザによっては、特定のサイト（例えば、暴力表現を含むサイトや大人向けサイトなど）にはアクセスしたくないという要望が生じる場合がある。これに対して、本発明の一実施形態の光ディスク再生装置においては、アクセス制限処理を行なうものである。
【００２５】
すなわち、図７のフローチャートにおいて、上述した手順で光ディスクコンテンツのＵＲＬに応じたアクセスを行なっている場合、ユーザがこのＵＲＬのサイトが不適当なサイトであると考えると、一例として、図３に示すように、リモコンＲのアクセス制限登録用のスイッチ５４を押下することで、アクセス制限の登録を行なう（ステップＳ１１）。しかし、必ずしもこの操作に限るものではなく、光ディスク記録再生装置の本体の操作部３２の専用スイッチを押下するものでもよく、他の操作方法でもよい。
【００２６】
操作があった際に、制御部３０及びアクセス制限部３４の判断により、現在、光ディスクコンテンツのＵＲＬに応じたアクセスを行なうことで、このネットワークコンテンツが再生中であるかどうかが判断される（ステップＳ１２）。
【００２７】
再生中であれば、制御部３０及びアクセス制限部３４は、現在再生しているコンテンツのＵＲＬと時間情報を取得して（ステップＳ１３）、これを、図４に示すアクセス制限リストＤＢ部３５のアクセス制限テーブル５２に示すアクセス制限リストに登録するものである（ステップＳ１４）。これにより、ユーザがアクセスを制限したいＵＲＬとして登録されたことになる。
【００２８】
なお、アクセス制限リストへの登録方法はこれに限るものではなく、例えば、図５に示すようにアクセス制限リストのパスワードを決めておいて、入力されたパスワードと登録されているパスワードとが一致すると、アクセス制限リストにアクセスできるという方法で登録してもよい。アクセス制限リストを表示して、直接、ＵＲＬを入力してもよいし、アクセス中のＵＲＬを登録するものでもよい。
【００２９】
（アクセス制限処理を伴うリソース読出処理：図８）
次に、このようにして登録し作成したアクセス制限リストＤＢ部３５を用いて、アクセス制限処理を伴うリソース読出処理を以下に説明する。
【００３０】
初めに、本発明の一実施形態に係る光ディスク再生装置１０において、図８が示すフローチャートのように、再生するリソースの読出処理を開始する。そして、制御部３０及びアクセス制御部３４は、光ディスクから読み出された読出情報を解析し、“Resource Addr”が“http”や“https”で始まるかどうかを判断する（ステップＳ２１）。
【００３１】
読出情報が、“Resource Addr”が“http”や“https”で始まると判断した場合は、このリソースのＵＲＬをアクセス制限リストＤＢのアクセス制限テーブルのアドレス群と比較する（ステップＳ２２）。そして、制御部３０及びアクセス制御部３４が、リソースアドレスは、アクセス制限リストＤＢ部３５に含まれるアドレスであると判断すると（ステップＳ２３）、そのＵＲＬへのアクセスによるリソース読出は行なわず、アクセス制限がかかっているとき用のリソースにすり替えて行なう（ステップＳ２４）。
【００３２】
ここでのアクセス制限がかかっているとき用のリソースとは、ＯＳＤ部３６等で与えられる図６に示すような警告画像５５等であり、“このアドレスにはアクセス制限がかかっています”旨の表示を行なうことが好適である。しかし、必ずしもＯＳＤで与えられる必要は無く、光ディスク再生装置１０の操作部３２に応じた表示部３３で表示することも好適である。
【００３３】
なお、ステップＳ２１で“Resource Addr”が“http”や“https”で始まるＵＲＬが検出されない場合は、光ディスク内のコンテンツリソースの読み出し処理を行なう。又、ステップＳ２３で検出されたＵＲＬがアクセス制限リストＤＢ部３５には存在しない場合も、与えられるＵＲＬからダウンロードされたリソースを読み出し処理する（ステップＳ２５）。
【００３４】
又、ステップＳ２４で“このアドレスにはアクセス制限がかかっています”旨の表示を行なう場合でも、例えば、図５に示すパスワード画面で登録パスワードと同一のパスワードを入力することで、アクセス可能となって、ＵＲＬが示すサイトからコンテンツをダウンロードできることとすることも好適である。
【００３５】
以上、詳細に説明した方法によれば、光ディスクコンテンツが指定するＵＲＬに対して、ユーザの嗜好に応じて、特定のリソースにアクセス制限することができる。
【００３６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３７】
【図１】本発明の一実施形態に係るディスク再生装置の構成の一例を示すブロック図。
【図２】本発明の一実施形態に係るディスク再生装置が読み出すディスク中に格納されているＵＲＬ情報の一例を示す説明図。
【図３】本発明の一実施形態に係るディスク再生装置のリモコンによるアクセス制限ボタンの一例を示す説明図。
【図４】本発明の一実施形態に係るディスク再生装置のアクセス制限テーブルの一例を示す説明図。
【図５】本発明の一実施形態に係るディスク再生装置の視聴制限リストアクセスログイン画面の一例を示す説明図。
【図６】本発明の一実施形態に係るディスク再生装置のアクセス制限を知らせる画面の一例を示す説明図。
【図７】本発明の一実施形態に係るディスク再生装置におけるアクセス制限をうけるＵＲＬの登録処理の一例を示すフローチャート。
【図８】本発明の一実施形態に係るディスク再生装置におけるアクセス制限処理の一例を示すフローチャート。
【符号の説明】
【００３８】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、３４…ネットワークダウンロード部、３５…アクセス制限リストＤＢ部、３６…ＯＳＤ部、Ｒ…リモコン、４３…予約録画部・番組表生成部。
【図１】
2008084489.tif 000003
【図２】
2008084489.tif 000004
【図３】
2008084489.tif 000005
【図４】
2008084489.tif 000006
【図５】
2008084489.tif 000007
【図６】
2008084489.tif 000008
【図７】
2008084489.tif 000009
【図８】
2008084489.tif 000010